(57)【要約】      （修正有）【課題】蓋材と医療用トレーの密封に必要なヒートシール強度を得るために採用されるヒートシール条件は変更を行わなくても、該蓋材と医療用トレーのヒートシール物からトップ材を手で容易に剥離することができる医療用トレー、および該医療用トレーを簡単な工程で製造することができる製造方法の提供。【解決手段】医療用トレーの蓋材と医療用トレーをヒートシールして構成され、かつ該ヒートシール部分の少なくとも一部が全面ヒートシールでなく部分的ヒートシールであり、かつ前記部分的ヒートシールがドット状Ｚ、格子状あるいはライン状Ｘ，Ｙに非ヒートシール部が形成されたものであることを特徴とする医療用トレーおよび該医療用トレーの製造方法。【選択図】図２
2007143892.tif 000002
【特許請求の範囲】
【請求項１】
医療用トレーの蓋材と医療用トレーのヒートシール部が熱融着部と非熱融着部とが隣接し、かつ非熱融着部が熱融着部によって区画されて形成されていることを特徴とする蓋材付き医療用トレー。
【請求項２】
非融着部が熱融着部によって閉じた構造であることを特徴とする請求項１に記載の蓋材付き医療用トレー。
【請求項３】
非融着部がヒートシール部にドット状に存在していることを特徴とする請求項１または２に記載の蓋材付き医療用トレー。
【請求項４】
ヒートシール部が熱融着部と非熱融着部とで格子状模様を形成し、かつ熱融着部が格子状模様の桟部を形成していることを特徴とする請求項１または２に記載の蓋材付き医療用トレー。
【請求項５】
医療用トレーの蓋材と医療用トレーのヒートシール部を熱融着部と非熱融着部とが隣接し、かつ非熱融着部が熱融着部によって区画されて熱融着した構造を形成する金型を使用して形成されたものであることを特徴とする請求項１に記載の医療用トレー。
【請求項６】
医療用トレーの蓋材と医療用トレーのヒートシール部を接合し、該接合部に熱融着によって熱融着部と非熱融着部とが隣接し、かつ非熱融着部が熱融着部によって区画されたヒートシール部を形成する金型を使用して前記接合部を熱融着することを特徴とする蓋材付き医療用トレーの製造方法。
【発明の詳細な説明】
【技術分野】
【０００１】
本発明は、蓋材付の医療用トレーおよびその製造方法に関する。
【背景技術】
【０００２】
医療用プラスチック部材同士のヒートシールの剥離強度をコントロールする従来技術として、柔軟なプラスチックフィルムで形成され、輸液又は輸液と輸液以外の薬剤とを個別に収納した小室を複数備え、当該各小室をプラスチックフィルムの一方又は両方の内面側に易剥離性コーティング材料を塗布してからヒートシールすることにより形成されたウイークシール部を有する薬液バッグにおいて、前記の易剥離性コーティング材料が前記プラスチックフィルムの内面側に網点状に塗布されていることを特徴とする輪液バッグが知られている（特許文献１）。
【０００３】
【特許文献１】特開平１１ー１６９４３２
【発明の開示】
【発明が解決しようとする課題】
【０００４】
医療用補助品、例えば綿棒、脱脂綿、シーツ、ガーゼ、消毒薬、ピンセット等を収納する医療用トレーと該トレーの蓋材であるトップ材とのヒートシールは、トップ材が医療用トレーを密封するに必要なシール強度が得られる条件で行われるが、該条件下では蓋材をヒートシールした医療用トレーからトップ材を手で容易に剥離できなくなってしまうことがある。この問題を解決するために前記特許文献１のように剥離強度を弱めるために易剥離性コーティング材料を使用すると別途高価な易剥離性コーティング材料の使用が必要となり、かつ該材料を塗布する工程などシール工程とは別の工程が必要となり、製造工程が複雑化するなどの問題が生じる。
本発明は蓋材と医療用トレーの密封に必要なヒートシール強度を得るために採用されるヒートシール条件は変更を行わなくても、該蓋材と医療用トレーのヒートシール物からトップ材を手で容易に剥離することができる医療用トレー、および該医療用トレーを簡単な工程で製造することができる製造方法を提供することにある。
【課題を解決するための手段】
【０００５】
本発明は医療用トレーの蓋材と医療用トレーのヒートシール部が熱融着部と非熱融着部とが隣接して形成され、かつ非熱融着部が熱融着部によって区画されて形成されていることを特徴とする蓋材付き医療用トレーを提供することにより、前記技術課題を解決したトップ材の密封性とイージーピール性を確保した医療用トレーを提供することができた。
【０００６】
前記の熱融着部と非熱融着部とが隣接して形成され、かつ非熱融着部が熱融着部によって区画されて形成されているヒートシール部の構造の態様としては、前記非融着部がヒートシール時に熱融着部によって閉じた構造のものが好ましい。このような態様（構造）のものとしては、例えば図９に示すような非融着部２１がヒートシール部にドット状に存在しているヒートシール部の構造（海島構造）が挙げられる。該ヒートシール部のドット状の非融着部（島部）２１はヒートシール時に融着部（海部）２２によって包囲され閉じた構造のものである。本態様のヒートシール部を有する蓋材付き医療用トレーは、非融着部（島部）２１が融着部（海部）２２によって包囲され閉じた構造のものであるので、非融着部２１が融着部２２によって閉じ込められていないものに比較して滅菌して無菌保持できるので好ましい。さらに前記の独立したドット状の非熱融着部２１は、ヒートシール部の全面に亘って均質に存在しているものが部位によって接着強度にバラツキがなく、さらにはヒートシール部が剥離することが無く、かつピール時には蓋材を容易にピールできる接着強度が得られるので好ましい。なお、前記ヒートシール部の全面に亘って均質とは、絶対的に均質なものだけを指すのではなく、ヒートシール部が剥離することが無く、かつピール時には蓋材を容易にピールできる接着強度が得られるという目的を達成できるものであれば、多少のバラツキがあるものであってもよい。
【０００７】
前記の熱融着部と非熱融着部とが隣接して形成され、かつ非熱融着部が熱融着部によって区画されて形成されて前記非融着部がヒートシール時に熱融着部によって閉じた構造の別の態様としては、例えば図１０に示すようなヒートシール部が熱融着部２２と非熱融着部２１とで格子状模様を形成し、かつ非熱融着部２１が格子状模様の桟部を形成した熱融着部２２によって包囲されて閉じこめられた構造を形成させることができる模様形状のものが挙げられる。本態様の医療用トレーも非熱融着部２１が熱融着部２２である格子状模様の桟部によって区画されて閉じた構造を形成しているので、前記のヒートシール部にドット状の非融着部を形成した医療用トレーと同様に非融着部２１が融着部２２によって閉じ込められていないものに比較して滅菌して無菌保持できる。
【０００８】
前記各態様の医療用トレーは、例えば蓋材であるトップ材と医療用トレーのヒートシール部分を接合して、該接合部に熱融着部と非熱融着部とが隣接し、かつドット状非熱融着部が熱融着部によって包囲されて閉じこめられた構造を形成させることができる模様形状を表面に有する金型により前記接合部を熱融着、あるいは蓋材であるトップ材と医療用トレーのヒートシール部分を接合して、該接合部に熱融着部と非熱融着部とが隣接し、かつ前記非熱融着部が熱融着部である格子状模様の桟部によって区画されて閉じた構造を形成させることができる模様形状を表面に有する金型を使用して前記接合部を熱融着する製造することができる。
ただし前記金型面に形成する模様形状は、トップ材と医療用トレーの全てのヒートシール部に相当する部分に形成する必要はなく、全面熱融着によってはピール性を確保することが困難となるヒートシール部に相当する部分のみに形成してもよい。
【０００９】
本発明で採用されるトップ材および医療用トレーとしては、従来から用いられているものを使用できるが、トップ材として上述のように通常の全面ヒートシールでは蓋材の剥離強度が強すぎイージーピール性が確保されないトップ材を用いる場合に特に好適であり、また医療用トレーとしては、例えば本出願人が先に提出した下記の医療用トレー（特願２００５−７４９４４）が挙げられる。前記特願２００５−７４９４４で発明した医療用トレーは、長軸の長さが異なる少なくとも２種類の棒状医療用補助品が収納可能で、かつ医療用補助品を複数の区画壁で区画された収納部に収納する医療用補助品収納用トレーであって、下記の（１）〜（４）の要件を満足することを特徴とするものである。
（１）開口部が滅菌可能なシートにより密封可能で、かつ前記開口部を密封した滅菌可能なシートを使用時に開封する側を下部室、その反対側を上部室としてトレー内が区画壁により区画され、さらに前記下部室が区画壁により複数室に区画されていること。
（２）下部室はトレー内に収納される棒状医療用補助品の中で長軸の長さが最も小さい棒状医療用補助品が、前記下部区画室の区画壁の上面部に前記上部室と下部室を区画する区画壁と平行方向にわたって収容可能なものであること。
（３）下部区画室の少なくとも一個と上部室は、トレー内に収納される棒状医療用補助品の中で長軸の長さが最も大きい棒状医療用補助品が前記下部区画室の角部と上部室の角部の対角線方向にわたって配置して収容可能なものであること。
（４）上部室と下部室の区画壁は、その上面部に最も大サイズの棒状医療用補助品の柄部が載置されて前記（３）の棒状医療用補助品の配置状態を保持可能とする切り欠き部を有すること。
【００１０】
本発明において、トップ材と医療用トレーのヒートシール部の剥離強度は以下のようにして測定した。
医療用トレーとして図１に示す特願２００５−７４９４４のもの（ポリプロピレン製）を使用し、該トレーの縁部１（厚さ０．４５ｍｍ）にトップ材の滅菌紙（株式会社興人社製）を金型により１１５℃および１２０℃でヒートシールを行った。前記金型としては下記加工部を有する金型を使用、１Ａ、１Ｂ，１Ｃおよび１Ｄのヒートシール部を熱融着した。
（１）１Ａ部分をヒートシールする金型面を未加工。
（２）１Ｂ部分をヒートシールする金型面をドット加工（φ１．７ｍｍ、開口率２８．４％、有効シール面積７１．６％）。
（３）１Ｄ部分をヒートシールする金型面を１本ライン加工（幅２．４、開口率３０％、有効シール面積７０％）。
（４）１Ｃ部分をヒートシールする金型面を２本ライン加工（幅１．２ｍｍＸ２、開口率３０％、有効シール面積７０％）。
前記トップ材をヒートシールしたトレーの剥離強度の測定に加えてさらに１１５℃および１２０℃で熱滅菌したトレーの剥離強度も測定した。
なお、前記開口率とはヒートシール部の総面積に対する非融着部（残部は融着部であるシール面積）の面積割合を指す。
【００１１】
本発明において採用する金型面に形成する有効シール面積としては、ドット加工およびライン加工の場合もヒートシール部に通常５５〜８５％程度（開口率４５〜１５％程度）、好ましくは６０〜７５％程度（開口率４０〜２５％程度）の熱融着部を形成できるものであり、前記剥離強度の試験に採用する金型としては有効シール面積７１．６％および７０％と同程度の有効シール面積のものを使用した。ただし、前記の有効シール面積あるいは開口率の好ましい数値は、他の要件、たとえば医療用トレーおよびトップ材の種類あるいは材質等によって変更されるものであって、好ましい範囲の絶対値を示すものではない。
【００１２】
前記トップ材がヒートシールされた医療用トレー（熱滅菌前）の縁部１から、縁部１の幅長さ約３０ｍｍ（トップ材と縁部１のヒートシール部７ｍｍを含む）×辺方向長さ１０ｍｍの剥離試験用テスト片のＳ、Ｒ、ＱおよびＷを縁部１の１Ａ、１Ｂ、１Ｃおよび１Ｄ部分から該部分の場所を変えて５個（ｎ＝５）をそれぞれ切り出し、このテスト片の剥離強度を剥離強度試験機としてＳＨＩＭＰＯデジタルフォースゲージＦＧＮ−５０（日本電産シンポ株式会社製：商品名）を用いて剥離強度を測定した。前記測定はテスト片のトップ材部分を前記ＳＨＩＭＰＯデジタルフォースゲージＦＧＮ−５０に取り付け剥離試験を行い、その結果を下表１および２に示した。なお、前表１の測定結果はヒートシールのみをおこなったもの、また前表２の測定結果は前記ヒートシールに加えてエチレンオキサイドガス滅菌を行った後のものを示す。
【００１３】
【表１】
2007143892.tif 000003
【００１４】
【表２】
2007143892.tif 000004
前表１および２のＡＶＥは平均値を意味し、Ｓ．Ｄ．は標準偏差を意味する。前記表１および２に示した数値の単位はN／１０ｍｍである。
【００１５】
前記表１および表２の結果から、以下のことが判明した。
（１）各シール温度で、滅菌前・滅菌後とも剥離強度が１Ａ（コントロール：全面ヒートシール）よりも１Ｂ（ドット加工面）、１Ｄ（１本ライン）および１Ｃ（２本ライン）の方が低く、同じような傾向であった。
（２）開口率（有効シール面積）を考慮すると、本来シール強度は、１Ａ＞１Ｂ＞１Ｃ＝１Ｄ（有効シール面積：１Ａ：１００％＞１Ｂ：７１．６％）＞１Ｃ７０％＝１Ｂ７０％）となると予測されるが、実測では１Ａ＞１Ｃ＞１Ｂ≒１Ｄとなった。この結果は１Ｂ（ドット加工面）、１Ｄ（１本ライン）および１Ｃ（２本ライン）で見ると各シール温度で、滅菌前・滅菌後とも剥離強度は１Ｃ（２本ライン）が高くなる傾向が見られた。これは１本ライン加工、２本ライン加工については、剥離する方向が剥離強度へ影響を与えていた。したがって、医療用トレーからピール材を剥離する場合、剥離する方向は一方向だけではなく、シール部へ並行、垂直、斜め方向にも剥離する力がかかることになるので、上記３種のうちでは、剥離方向による影響が出にくいドット加工したシール部が、医療用トレーとトップ材との剥離強度の調整には適していると考えられる。また、エチレンオキサイドガス滅菌前後とも外観の変化はなかった。
【発明の効果】
【００１６】
本発明の蓋材付き医療用トレーは、蓋材とのヒートシール部が熱融着部と非熱融着部とが隣接し、かつ非熱融着部が熱融着部によって区画され閉じ込められた構造を形成しているので、非融着部が熱融着部によって区画され閉じ込められた構造でないものに比較して滅菌して無菌保持でき、かつヒートシール部を全面熱融着した場合には蓋材をヒートシールした医療用トレーから蓋材の剥離が困難になる場合でも、トップ材と医療用トレーとの密封性を確保しながら蓋材のイージーピール性を確保することができる。したがって、本発明は密封に必要なヒートシール強度を得るために該トップ材のシール条件は変更を行わなくても、該ヒートシール物を手で容易に剥離することができるトップ材を使用したヒートシール物、および該ヒートシール物を簡単な工程で製造することができる製造方法を提供することができた。
【発明を実施するための最良の形態】
【００１７】
医療用補助品を収納する医療用トレーの構成
【実施例１】
【００１８】
本実施例の医療用トレーは、図１に示す医療用トレー内に医療用補助品を収納した後に該トレーの蓋材と該縁部１の１Ａ、１Ｂ、１Ｃおよび１Ｄの各部分を接合して該接合部をヒートシールすることにより、前記接合部に海構造である熱融着部によって閉じられた島構造として存在する円形状あるいは方形状のドット形状の非熱融着部が形成されている（図２と９）。本実施例ではドット状の非熱融着部の形状として正四角形状のものを採用しているが、ドット状の熱融着部の形状は円形状あるいは方形状のものに限定されるものではなく、他の任意の形状であってもよい。また、ヒートシール部の構造としては前記のように熱融着部に非熱融着部がドット状に閉じ込められた構造に限らず、熱融着部と非熱融着部が隣接し、非熱融着部が熱融着部によって閉じ込められた形状のもの、例えば図１０に示すように非熱融着部が熱融着部を形成する格子模様の桟によって閉じ込められた形状のものであれば前記非熱融着部がドット形状のものと同様の効果を奏することができる。
【００１９】
本実施例のトレーは四角形状容器であり、区画壁５により区画されて開封側１０に下部室４、その反対側に上部室２が形成され、さらに前記下部室４が区画壁１１と１２により左室６、中央室７、および右室８の３室に区画されている。また、前記下部室の隔壁６、７および８は、右室８へ本トレーに収納されるもっとも小さいサイズ綿棒（前記柄部の長さが約４インチ程度の綿棒）の頭を保持させ、かつ、柄部のバランスをとりながら保持できる位置へ中央室７と左室６の隔壁を設定するのが好ましい。
【００２０】
上部室２と下部室４の区画壁５は、その上面部に該トレー内に収納可能な綿棒の中で長軸の長さが最も大きい綿棒（前記柄部の長さが約６インチ程度の綿棒）が左室の左下角部Ａ（アール部形成）と上部室の右上角部Ｄ（アール部形成）の対角線方向、あるいは右室の右下角部Ｂ（アール部形成）と上部室の左上角部（アール部形成）Ｃの対角線方向にわたって配置して収容されるが、その際にその柄部が載置されて前記配置状態を保持可能とする切り欠き部（以下、大サイズ綿棒保持切り欠き部という）１３と１４を有する。また、前記大サイズ綿棒保持切り欠き部１３と１４の切り欠き深さは、その底面部と前記下部室４の区画壁１１と１２の上面部が同一平面であり、区画壁５の高さはトレーの上部周縁の高さは同じか若干低く形成される。なお、本発明において綿棒を対角線方向に配置して収納する際の角部とは、隅部およびその近辺等の領域を指し、該領域はその全体あるいはその一部がアール部を形成していることが好ましい。さらに、前記大サイズ綿棒保持切り欠き部１３の左側切り欠き面１９、また右側切り欠き部１４の右側切り欠き面２０は、前記配置される綿棒の対角線角度と同様あるいは近似した角度で傾斜して設けられたものが該綿棒の収納を容易にし、かつ収納した綿棒を安定に保持できるので好ましい。
【００２１】
図４および５に前記本発明のトレー内に収納される綿棒の中で長軸の長さが最も大きい綿棒１７（前記柄部の長さが約６インチ程度の綿棒）を収納した態様を示す。図４は綿棒１７の柄部１８を区画壁５に対して左向きに収納した態様であり、また図５は綿棒をその柄部１８を区画壁５に対して右向きに収納した態様である。本発明のトレーは前記のように綿棒の収納態様として、右向きと左向きを任意に選択できるので、右利きあるいは左利きの使用者が取り出しやすいように配置できるし、また、該補助具を使用する施術の種類あるいは方法によって該補助具を取り出し易いように右向きと左向きを任意に選択できる。また図４および５に大サイズ綿棒保持切り欠き部１３と１４を有するが、前記切り欠き部１３と１４はどちらか一方のみの態様であってもよい。
【００２２】
図６および７に本発明のトレー内に収納される綿棒の中で長軸の長さが中間である綿棒１７′（前記柄部の長さが約５インチ程度の綿棒）を収納した態様を示す。上部室２と下部室４の区画壁５の上面部には、中央室１２に隣接して前記綿棒１７′が中央室１２の左下角部（アール部形成）Ｅと上部室の右上角部（アール部形成）Ｄの対角線方向、あるいは中央室の右下角部（アール部形成）Ｆと上部室の左上角部（アール部形成）Ｃの対角線方向にわたって配置して収容されるが、その際に前記綿棒１７′の柄部が載置されて前記配置状態を保持可能とする切り欠き部１５（以下、中サイズ綿棒保持切り欠き部）を有する。また、前記中サイズ綿棒保持切り欠き部１５の切り欠き深さは、その底面部と前記下部室４の区画壁１１と１２の上面部が同一平面となるものである。また、中サイズの綿棒を収納する場合も、大サイズの綿棒の場合と同様に右向きと左向きを任意に選択できるので、前記大サイズの綿棒の場合と同様な効果を奏する。
【００２３】
図８に本発明のトレー内に収納される綿棒の中で長軸の長さが最も短い綿棒１７′′（前記柄部の長さが約４インチ程度の綿棒）を収納した態様を示す。下部室４は前記小サイズの綿棒が、前記下部区画室の区画壁１１と１２の上面部に亘って区画壁５に平行方向に配置されて収容可能なものである。そして区画壁５の上面部の高さ１６とトレーの上部周縁３の高さは、同じか前者が後者より若干低く形成されているので、下部室４内に小サイズの綿棒１７′′は上部室２の方向に移動することなく安定に収納可能となる。
【００２４】
本発明のトレーは、トップ材である蓋材と医療用トレーのヒートシール後のピール性が改良され、かつ前記のように棒状の医療用補助品が、その長軸方向の長さが大、中および小サイズのタイプのいずれであっても収容可能であるだけでなく、どのタイプの綿棒であっても常にトレー内に収納された他の医療用補助品の上に配置して収納される。また、棒状医療用補助品の長軸部分の把持側部分、例えば綿棒の柄部の把持側部分がトレーの開封側に存在するので、先ず綿棒を取り出すことにより、その他の医療用補助品を医療処置の手順に従って取り出すことが容易である。さらにそれだけでなく、本発明のトレーの上部室２に既に滅菌済みのシーツ、ガーゼ、等の大型の医療用補助品を収納した場合であっても、棒状医療用補助品の長軸部分の把持側部分、例えば綿棒の柄部の把持側部分がトレーの開封側に存在するので該棒状の医療用補助品を把持してトレーから取り出す際に前記滅菌済みのシーツ、ガーゼ、等の大型の医療用補助品をトレー使用者の手が触れて汚染されることは無い。さらに下部室４に収納された小サイズの綿棒の取り出しは、下部室４と前記上部室２とは区画壁５により区画されているので、トレー使用者は前記滅菌済みのシーツ、ガーゼ、等の大型の医療用補助品に触れることなく容易に行うことができる。また、少なくとも１種類以上のサイズの棒状医療用補助品をトレー内に対角線方向に右向きあるいは左向きに任意に収納できるので、前述のように右利きあるいは左利きの使用者が取り出しやすいように配置できるし、また、該補助具を使用する施術の種類あるいは方法によって該補助具を取り出し易いように右向きと左向きを任意に選択できる。
【００２５】
前記実施例のトレーは、該トレー内に棒状医療用補助品は長軸方向の長さが大、中および小のものが収納可能なものであるが、図７および８に示すような長軸方向の長さが大および小の２種類のものが収納可能なものであっても良い。また、本発明のトレーサイズは、前記のような本発明の目的を達成できるものであれば特に特定の範囲のものに限定されるものではないが、例えば横１０５〜１６５ｍｍ、縦６５〜１０５ｍｍ程度のものが挙げられる。
【図面の簡単な説明】
【００２６】
【図１】実施例１で使用する医療用トレーの構成を示す図である。
【図２】剥離強度試験に使用する医療用トレーの構成を示す図である。
【図３】剥離強度試験に使用する切り欠く試験片を示す図である。
【図４】図１のトレーに柄部サイズの大きい綿棒を右向きに収納したトレー。
【図５】図１のトレーに柄部サイズの大きい綿棒を左向きに収納したトレー。
【図６】図１のトレーに柄部サイズが中間の綿棒を右向きに収納したトレー。
【図７】図１のトレーに柄部サイズが中間の綿棒を左向きに収納したトレー。
【図８】図１のトレーに柄部サイズが小さい綿棒を収納したトレー。
【図９】切り出しヒートシール部のドット状構造を示す図である。
【図１０】切り出しヒートシール部の格子構造を示す図である。
【符号の説明】
【００２７】
１      滅菌可能なトップ材がヒートシールされる縁部。
１Ａ    金型の未加工部分による縁部１とトップ材とのヒートシール部。
１Ｂ    金型のライン状凹加工部分（１本ライン）による縁部１とトップ材とのヒートシール部。
１Ｃ    金型のライン状凹加工部分（２本ライン）による縁部１とトップ材とのヒートシール部。
１Ｄ    金型のドット凹加工部分による縁部１とトップ材とのヒートシール部。
２      上部室。
３      トレーの上部縁。
４      下部室。
５      区画壁。
６      左室。
７      中央室。
８      右室。
９      滅菌可能なシートの剥離開始部。
１０    開封側。
１１    区画壁。
１２    区画壁
１３    大サイズ綿棒保持切り欠き部。
１４    大サイズ綿棒保持切り欠き部。
１５    中サイズ綿棒保持切り欠き部。
１６    区画壁５の上面部。
１７    柄部サイズの大きい綿棒。
１７′  柄部サイズが中間の綿棒。
１７′′柄部サイズが小さい綿棒。
１８    綿棒の柄部。
１９    大サイズ綿棒保持切り欠き部１３の左側切り欠き面。
２０    大サイズ綿棒保持切り欠き部１４の右側切り欠き面。
２１    ヒートシール部の非熱融着部。
２２    ヒートシール部の熱融着部。
Ａ      左室６の左下角部。
Ｂ      右室６の右下角部。
Ｃ      上部室２の左上角部。
Ｄ      上部室２の右上角部。
Ｅ      中央室７の左下角部。
Ｆ      中央室７の右下角部。
Ｘ      トップ材と医療用トレーの非シール部分（１本ライン状）。
Ｙ      トップ材と医療用トレーの非シール部分（２本ライン状）。
Ｚ      トップ材と医療用トレーの非シール部分（ドット状部分）。
Ｗ      切り出し剥離強度試験片。
Ｑ      切り出し剥離強度試験片。
Ｒ      切り出し剥離強度試験片。
Ｓ      切り出し剥離強度試験片。
【図１】
2007143892.tif 000005
【図２】
2007143892.tif 000006
【図３】
2007143892.tif 000007
【図４】
2007143892.tif 000008
【図５】
2007143892.tif 000009
【図６】
2007143892.tif 000010
【図７】
2007143892.tif 000011
【図８】
2007143892.tif 000012
【図９】
2007143892.tif 000013
【図１０】
2007143892.tif 000014